(57)【要約】【課題】特別な設備を必要とせずに、安価でコンパクトな装置で配管等の目詰まりを起こさず、大量の粉塵を含む空気を効率良く低コストで処理することができるとともに、各種の粉塵発生源に対して適用可能な湿式集塵装置を提供する。【解決手段】円筒状の外筒と該外筒内に同心円状に配置した該外筒と同じ長さの内筒により集塵室を構成し、該集塵室の外筒の外周上に吸気口と排気口を設置するとともに、該集塵室内に給水する給水装置と、該集塵室の下方に汚泥排出口を設けた集塵室を具備する湿式集塵装置。【選択図】図２
2009291703.tif 000002
【特許請求の範囲】
【請求項１】
円筒状の外筒と該外筒内に同心円状に配置した該外筒と同じ長さの内筒により集塵室を構成し、該集塵室の外筒の外周上に吸気口と排気口を設置するとともに、該集塵室内に給水する給水装置と、該集塵室の下方に汚泥排出口を設けた集塵室を具備する湿式集塵装置。
【請求項２】
前記吸気口と前記排気口を前記集塵室の外筒の横断面の偏心位置に設置したことを特徴とする請求項１に記載の湿式集塵装置。
【請求項３】
前記給水装置が水を霧状に噴霧する噴霧装置であることを特徴とする請求項１又は２に記載の湿式集塵装置。
【請求項４】
さらに、前記集塵室の内筒の表面に給水する給水装置を設けたことを特徴とする請求項１〜３のいずれかに記載の湿式集塵装置。
【請求項５】
前記集塵室を横方向に配置したことを特徴とする請求項１〜４のいずれかに記載の湿式集塵装置。
【発明の詳細な説明】
【技術分野】
【０００１】
本発明は、集塵室を構成する外筒の横断面の偏心位置に吸気口と排気口を設置することにより、送風、吸引どちらの方式でも粉塵を含む空気を集塵室内で回転させることができ、空気中の粉塵を水で湿らせて効率良く集塵する湿式集塵装置に関する。
【背景技術】
【０００２】
空気中に存在する固体粒子である粉塵を除去し、空気を清浄にする集塵装置としては、集塵に使用する原理によって種々のタイプのものが知られている。具体的には、例えば、遠心力を利用して集塵するサイクロン、コロナ放電により粉塵を荷電させてクーロン力により捕集する電気集塵装置、及び濾布を使用して集塵するバグフィルタ等が使用されている。
しかしながら、これらの集塵装置ではサイクロンのように大型の設備を必要としたり、放電装置等の特殊な設備を必要とするために装置が高価なものとなり、集塵のコストが高くなる等の問題点があった。
【０００３】
一方、粉塵を含む空気に水を噴霧すること等により、粉塵を水で湿らせて除去処理する湿式集塵装置も種々のタイプのものが提案されている（例えば、特許文献１，２参照）。しかしながら、従来の湿式集塵装置では、（１）処理可能な粉塵を含む空気の量に限界があり大量の空気を処理することができない、（２）粉塵と水の接触が充分ではなく処理効率が低い、（３）処理効率を上げるには大量の水を使用することが必要となり粉塵を含む水の処理量も増大するので処理コストが高くなる、等の欠点があった。
【特許文献１】特開２００１−３２７８２５号公報
【特許文献２】特開平６−７６２３号公報
【０００４】
本発明者等はこれら従来の湿式集塵装置の問題点を解消するために、図４，５にみられるような、送風機１０３と送風管１０４を設けた粉塵発生源を覆うフード１０２、送風管１０４と連通する縦型円筒状の集塵室１０５、集塵室内部に配置した円筒状の排気管１０６、集塵室の内壁面に水を供給する配水装置１０７及び汚水溜１０８を具備する湿式遠心集塵装置１０１を提案した。（特許文献３）
【特許文献３】特開２００５−３４２５７６号公報
【０００５】
この湿式集塵装置１０１は、簡単な構成で粉塵を含む空気を低コストで処理することができるものであるが、送風機１０３及び送風管１０４の部分に粉塵が堆積して閉塞するという欠点がある。この閉塞を防止するために、送風管１０４の手前に設けた送風機１０３を取り除き、排気管１０６の出口側に吸引ファンを取り付けて、吸引により粉塵を含む空気を集塵室１０５内に導入するように構成すると、導入された空気は集塵室１０５内に配置した排気管１０６の周りを回転せずに、単に排気管１０６に沿って集塵室１０５の下方に移動し、排気管１０６を経由して集塵室１０５から排出されることになり、空気中の粉塵と水との接触が不充分となるので、集塵効率が低下する。
また、縦型に配置した円筒状の集塵室１０５の下方から集塵室内に配置した円筒状の排気管１０６を介して空気を排出するものであることから、設置する場所に制約を受けるとともに、粉塵の種類によっては粉塵を含む空気と水との接触が充分ではなく処理効率が低下するという問題点があった。
【発明の開示】
【発明が解決しようとする課題】
【０００６】
したがって、本発明はこれら従来技術の問題点を解消して、特別な設備を必要とせずに、安価でコンパクトな装置で配管等の目詰まりを起こさず、大量の粉塵を含む空気を効率良く低コストで処理することができるとともに、各種の粉塵発生源に対して適用可能な湿式集塵装置を提供することを目的とする。
【課題を解決するための手段】
【０００７】
本発明では、上記課題を解決するために、つぎの１〜５の構成を採用する。
１．円筒状の外筒と該外筒内に同心円状に配置した該外筒と同じ長さの内筒により集塵室を構成し、該集塵室の外筒の外周上に吸気口と排気口を設置するとともに、該集塵室内に給水する給水装置と、該集塵室の下方に汚泥排出口を設けた集塵室を具備する湿式集塵装置。
３．前記給水装置が水を霧状に噴霧する噴霧装置であることを特徴とする１又は２に記載の湿式集塵装置。
４．さらに、前記集塵室の内筒の表面に給水する給水装置を設けたことを特徴とする１〜３のいずれかに記載の湿式集塵装置。
５．前記集塵室を横方向に配置したことを特徴とする１〜４のいずれかに記載の湿式集塵装置。
【発明の効果】
【０００８】
本発明の湿式集塵装置は、次のような顕著な効果を奏するものである。
（１）集塵室を構成する外筒の横断面の偏心位置に吸気口と排気口を設置することにより、送風、吸引どちらの方式でも粉塵を含む空気を集塵室内で高速で回転させることができ、水で湿らせた集塵室壁面と粉塵を含む空気との接触頻度を大きくし、コンパクトな装置で大量の空気を効率良く低コストで処理することができる。
（２）集塵装置の配管類の目詰まりを防止し、各種の粉塵発生源に適用することができる。
（３）特別な装置や緻密な設計を必要とせずに、簡単な部材により装置を安価に構成することができる。
（４）粉塵の捕集に使用する水の量を低減し、粉塵を捕集した汚水の処理コストを下げることができる。
【発明を実施するための最良の形態】
【０００９】
つぎに、図に基づいて本発明の好ましい実施の形態について説明するが、以下の具体例は本発明を限定するものではない。
図１−図３は、本発明の湿式集塵装置の１例を示す模式図であり、図１は装置の集塵室全体の斜視図、図２は集塵室の縦断面模式図、そして図３は集塵室の側面図である。
【００１０】
この湿式集塵装置の集塵室１は、円筒状の外筒２と該外筒２内に同心円状に配置した該外筒２の内寸と同じ長さの内筒３により構成される。集塵室１の外筒２の側面には、外筒２の横断面の偏心位置に吸気口４と排気口５を設置してある。また、外筒２の内壁面には集塵室１内に吸気された粉塵を含む空気に水を噴霧する給水装置（シャワー）６を設置するとともに、外筒の下方に汚泥排出口７が設けてある。内筒３は、中空体或いは中実体のいずれによっても構成することができる。
集塵室１内には、図示はしないが集塵室１とは別に設けた送風ファン等の送風手段、又は吸引ファン等の吸気手段（通常は、排気口５の出口近辺に設置する）を用いて、粉塵を含む空気が吸気口４から導入される。この吸気口４及び排気口５を、外筒２の側面において、外筒２の横断面の偏心位置に配置することによって、集塵室１内に導入された粉塵を含む空気は、図２及び図３に矢印で示したように、慣性力により集塵室１内の内筒３の外周部に沿って回転し、集塵室１内で水と接触して粉塵が除去された後に、排気口５から排出される。
【００１１】
この集塵室１自体は極めて簡単な形状及び構造を有するものであり、複雑な形状を有する配管等を具備しないことから、装置の目詰まりを生じて処理効率が低下するといった問題は発生しない。
この集塵室２は、縦方向及び横方向のいずれにも配置することができるが、図１−図３にみられるように、横方向に配置した場合には、粉塵を含む空気が集塵室１内の内筒３の外周部に沿って回転し易くなり、集塵効率が向上するので好ましい。
【００１２】
集塵室１の上部には、タンク等の供給源（図示せず）から供給される水を集塵室１内に供給する給水装置として、シャワー６が設置されている。また、集塵室１の内筒３の内部に給水管を配置し、内筒３の表面に設けた多数の細孔（図示せず）から内筒３の表面に給水するようにしてもよい。
集塵室１内に導入された空気は、集塵室１の内筒３の外周部にそって回転し、集塵室１の外筒２の内壁面及び内筒３の表面で水と接触を繰返して粉塵を除去された後に、排気口５から集塵室１外に排出される。
【００１３】
集塵室１内に導入された空気中の粉塵は、質量の大きいものは重力によって直接集塵室１下部の汚水溜（図示せず）中に沈下するものもあるが、大半は集塵室１の外筒２の内壁面及び内筒３の表面と接触した際に、シャワー６からこれらの壁面全体を濡らすように噴霧された水により捕集され、壁面を流下して集塵室１下部の汚水溜に集められる。汚水溜に集められた粉塵は、汚泥排出口７から汚水とともに排出される。
【００１４】
本発明の湿式集塵装置の集塵室１を構成する外筒２及び内筒３等の寸法は任意に選択することができる。これらの部材の寸法の１例としては、集塵室１の外筒２の内径としては３０〜２００ｃｍ程度、内筒３の外径としては１０〜６０ｃｍ程度、また外筒２及び内筒３の長さとしては５０〜４００ｃｍ程度のものが挙げられるが、これらに限定されるものではない。
集塵室１等を構成する材料としては、ステンレス鋼等の金属、強化プラスチック、ホウロウ、セラミックス等通常集塵装置に用いられる材料を使用することができる。
【００１５】
本発明の湿式集塵装置は、廃棄物の破砕装置のように粉塵を発生させる各種の装置に直接接続して使用することができる。また、鉱山、採石場、土木工事現場、廃棄物のリサイクル施設等で使用する場合には、図４，５の装置のように粉塵発生源を覆うフードや、送風管を用いて使用することができる。
また、粉塵を含む空気が塩化水素、アンモニア等の酸性或いは塩基性のガスを含む場合には、これらを中和する水酸化ナトリウム水溶液や酸水溶液等をタンクに貯蔵し、集塵室１の壁面に供給する水として使用することによって、中和、回収するようにしてもよい。
【図面の簡単な説明】
【００１６】
【図１】本発明の湿式集塵装置の集塵室の１例を示す模式図である。
【図２】図１の集塵室の縦断面模式図である。
【図３】図１の集塵室の側面図である。
【図４】従来の湿式集塵装置の１例を示す図である。
【図５】図４の装置の平面図である。
【符号の説明】
【００１７】
１              集塵室
２              外筒
３              内筒
４              吸気口
５              排気口
６              給水装置
７              汚泥排出口
【図１】
2009291703.tif 000003
【図２】
2009291703.tif 000004
【図３】
2009291703.tif 000005
【図４】
2009291703.tif 000006
【図５】
2009291703.tif 000007